(57)【要約】      （修正有）【課題】ＫＶＭ（Ｋｅｙｂｏａｒｄ  Ｖｉｄｅｏ  Ｍｏｕｓｅ）装置又はネットワークによって制御対象に接続される場合に、制御対象の装置の状態に応じた方法で制御対象の装置を操作する設定プログラム及び情報処理装置を提供する。【解決手段】タブレット端末１は、印刷制御装置２の状態に応じてＫＶＭ装置４又はルータ５によって構築されるネットワークのいずれを介して印刷制御装置２に接続するかを決定する接続方法決定手段と、ＫＶＭ装置４を介して接続された場合、受け付けた操作に応じて、印刷制御装置２の出力する表示信号に対する操作信号を出力する自動操作手段と、ルータ５を介して接続された場合、受け付けた操作に応じて印刷制御装置２を操作する遠隔操作手段とを有する。【選択図】図１
2017041061.tif 000002
【特許請求の範囲】
【請求項１】
コンピュータを、
操作信号及び表示信号を送受信するＫＶＭ装置、又はネットワークのいずれを介して制御対象に接続するかを前記制御対象の状態に応じて決定する接続方法決定手段と、
前記コンピュータが前記ＫＶＭ装置を介して前記制御対象に接続された場合、前記コンピュータの操作部に入力された操作に応じて、前記制御対象から出力された表示信号に対応する操作信号を前記制御対象に出力する自動操作手段と、
前記コンピュータが前記ネットワークを介して前記制御対象に接続された場合、前記コンピュータの操作部に入力された操作に応じて前記制御対象を操作する遠隔操作手段として機能させるための設定プログラム。
【請求項２】
前記接続方法決定手段は、前記コンピュータが前記ＫＶＭ装置を介して前記制御対象に接続された場合であって、前記制御対象が出力する表示信号からアドレスを検知した場合、当該検知したアドレスを利用して前記ネットワークを介して前記制御対象に接続する請求項１に記載の設定プログラム。
【請求項３】
操作信号及び表示信号を送受信するＫＶＭ装置、又はネットワークのいずれを介して制御対象に接続するかを前記制御対象の状態に応じて決定する接続方法決定手段と、
自装置が前記ＫＶＭ装置を介して前記制御対象に接続された場合、前記自装置の操作部に入力された操作に応じて、前記制御対象から出力された表示信号に対応する操作信号を前記制御対象に出力する自動操作手段と、
前記自装置が前記ネットワークを介して前記制御対象に接続された場合、前記自装置の操作部に入力された操作に応じて前記制御対象を操作する遠隔操作手段とを有する情報処理装置。
【発明の詳細な説明】
【技術分野】
【０００１】
本発明は、設定プログラム及び情報処理装置に関する。
【背景技術】
【０００２】
従来の技術として、サーバを起動させたときの起動画面に対して自動で応答するＫＶＭ（Ｋｅｙｂｏａｒｄ  Ｖｉｄｅｏ  Ｍｏｕｓｅ）装置が提案されている（例えば、特許文献１参照）。
【０００３】
特許文献１に開示されたＫＶＭ装置は、サーバとクライアント端末との間に接続されて、サーバが電源投入されたときに生成される起動画面を記憶し、サーバから受信した画面データが記憶している起動画面と一致する場合に予め定めたキーデータをサーバに送信することで、例えば、ＢＩＯＳを起動させる。通常ＢＩＯＳを起動できる画面の表示時間は短く、かつ、サーバとクライアントがネットワーク経由で接続されている場合は画面がクライアントに表示されるのに遅延が生じるため、手動でＢＩＯＳを起動させることが困難なことがあるが上記ＫＶＭ装置は自動でＢＩＯＳを起動する。
【先行技術文献】
【特許文献】
【０００４】
【特許文献１】特開２０１１−３９９１２号公報
【発明の概要】
【発明が解決しようとする課題】
【０００５】
本発明の目的は、ＫＶＭ装置又はネットワークによって制御対象に接続される場合に、制御対象の装置の状態に応じた方法で制御対象の装置を操作する設定プログラム及び情報処理装置を提供することにある。
【課題を解決するための手段】
【０００６】
本発明の一態様は、上記目的を達成するため、以下の設定プログラム及び情報処理装置を提供する。
【０００７】
［１］コンピュータを、
操作信号及び表示信号を送受信するＫＶＭ装置、又はネットワークのいずれを介して制御対象に接続するかを前記制御対象の状態に応じて決定する接続方法決定手段と、
前記コンピュータが前記ＫＶＭ装置を介して前記制御対象に接続された場合、前記コンピュータの操作部に入力された操作に応じて、前記制御対象から出力された表示信号に対応する操作信号を前記制御対象に出力する自動操作手段と、
前記コンピュータが前記ネットワークを介して前記制御対象に接続された場合、前記コンピュータの操作部に入力された操作に応じて前記制御対象を操作する遠隔操作手段として機能させるための設定プログラム。
［２］前記接続方法決定手段は、前記コンピュータが前記ＫＶＭ装置を介して前記制御対象に接続された場合であって、前記制御対象が出力する表示信号からアドレスを検知した場合、当該検知したアドレスを利用して前記ネットワークを介して前記制御対象に接続する前記［１］に記載の設定プログラム。
［３］操作信号及び表示信号を送受信するＫＶＭ装置、又はネットワークのいずれを介して制御対象に接続するかを前記制御対象の状態に応じて決定する接続方法決定手段と、
自装置が前記ＫＶＭ装置を介して前記制御対象に接続された場合、前記自装置の操作部に入力された操作に応じて、前記制御対象から出力された表示信号に対応する操作信号を前記制御対象に出力する自動操作手段と、
前記自装置が前記ネットワークを介して前記制御対象に接続された場合、前記自装置の操作部に入力された操作に応じて前記制御対象を操作する遠隔操作手段とを有する情報処理装置。
【発明の効果】
【０００８】
請求項１又は３に係る発明によれば、ＫＶＭ装置又はネットワークによって制御対象に接続される場合に、制御対象の装置の状態に応じた方法で制御対象の装置を操作することができる。
請求項２に係る発明によれば、制御対象が出力する表示信号からアドレスを検知した場合、当該検知したアドレスを利用してネットワークを介して制御対象に接続することができる。
【図面の簡単な説明】
【０００９】
【図１】図１は、実施の形態に係る情報処理システムの構成の一例を示す概略図である。
【図２】図２は、実施の形態に係るタブレット端末の構成例を示すブロック図である。
【図３】図３は、遠隔操作アプリケーションによって印刷制御装置から出力される表示信号に基づいてタブレット端末の表示部に表示される画面の例を示す概略図である。
【図４】図４は、接続方法決定手段の動作を説明するための表である。
【図５】図５は、自動操作アプリケーションの動作例を示すフローチャートである。
【図６】図６は、遠隔操作アプリケーションへの切替動作例を示すフローチャートである。
【発明を実施するための形態】
【００１０】
［実施の形態］
（情報処理システムの構成）
図１は、実施の形態に係る情報処理システムの構成の一例を示す概略図である。
【００１１】
この情報処理システムは、タブレット端末１と、印刷制御装置２と、画像出力装置３と、ＫＶＭ装置４と、ルータ５とで構成される。タブレット端末１とＫＶＭ装置４及びルータ５とはそれぞれ無線で通信する。ＫＶＭ装置４は、印刷制御装置２のＵＳＢ端子及びビデオ端子に接続され、印刷制御装置２からキーボード、マウス、ディスプレイとして認識されるものである。ルータ５は、印刷制御装置２と有線で通信し、例えば、イントラネットやＬＡＮ（Ｌｏｃａｌ  Ａｒｅａ  Ｎｅｔｗｏｒｋ）等の有線及び無線の通信網を構成する。
【００１２】
タブレット端末１は、タッチパネルを備えた携帯型の情報処理装置であって、本体内に情報を処理するための機能を有するＣＰＵ（Ｃｅｎｔｒａｌ  Ｐｒｏｃｅｓｓｉｎｇ  Ｕｎｉｔ）やフラッシュメモリ等の電子部品を備える。主に、印刷制御装置２の保守点検の際に用いられ、印刷制御装置２の管理者によって操作される。
【００１３】
印刷制御装置２は、画像出力装置３を制御するものであって、本体内に情報を処理するための機能を有するＣＰＵやフラッシュメモリ等の電子部品を備える。印刷制御装置２は、操作部や表示部を有しておらず、通常はネットワークを介して外部の端末から遠隔操作されるが、トラブル等により遠隔操作では対応できない場合に、ＫＶＭ装置４を介したタブレット端末１による操作によって動作する。
【００１４】
画像出力装置３は、例えば、デジタルカラープリンタであり、印刷制御装置２の制御に基づいて動作するものであって、印刷制御装置２が上位装置から受信した画像データに画像処理を施してカラー画像を記録媒体の一例である用紙に形成するものである。
【００１５】
ＫＶＭ装置４は、印刷制御装置２に無線で通信するタブレット端末１から受信した操作信号を送信するとともに、印刷制御装置２から表示信号を受信してタブレット端末１に送信するものである。
【００１６】
（情報処理装置の構成）
図２は、実施の形態に係るタブレット端末１の構成例を示すブロック図である。
【００１７】
タブレット端末１は、ＣＰＵ等から構成され、各部を制御するとともに、各種のプログラムを実行する制御部１０と、フラッシュメモリ等の記憶媒体から構成され情報を記憶する記憶部１１と、ＬＣＤ等から構成され文字や画像を表示する表示部１２と、表示部１２上に重ねて配置されてタッチパネルから構成され管理者の操作に応じた信号を制御部１０に出力する操作部１３と、ネットワークを介して外部と通信する通信部１４とを備える。
【００１８】
制御部１０は、後述する設定プログラム１１０を実行することで、接続方法決定手段１００、操作受付手段１０１、自動操作手段１０２、アドレス検知手段１０３及び遠隔操作手段１０４等として機能する。
【００１９】
接続方法決定手段１００は、印刷制御装置２の状態に基づいて通信部１４がＫＶＭ装置４を介して印刷制御装置２に接続するか、ルータ５を介して印刷制御装置２に接続するかを決定する。
【００２０】
操作受付手段１０１は、操作部１３から管理者の操作に応じた操作信号を受け付ける。
【００２１】
自動操作手段１０２は、接続方法決定手段１００がＫＶＭ装置４を介して印刷制御装置２に接続すると決定した場合に、自動操作アプリケーション１１１を実行し、操作受付手段１０１が受け付けた操作信号を印刷制御装置２に直接送信せず、印刷制御装置２から受信する表示信号に応じて予め定められた操作信号を印刷制御装置２に送信することで自動操作する。
【００２２】
アドレス検知手段１０３は、印刷制御装置２から受信する表示信号で表示される表示画像中にアドレス用コード画像が含まれる場合、当該アドレス用コード画像からアドレスを検知する。
【００２３】
遠隔操作手段１０４は、遠隔操作アプリケーション１１２を実行し、アドレス検知手段１０３が検知したアドレスを利用して、ルータ５を介して印刷制御装置２に接続し、操作受付手段１０１が受け付けた操作信号を直接印刷制御装置２に送信して、印刷制御装置２を遠隔操作する。
【００２４】
記憶部１１は、制御部１０を上述した各手段１００−１０４として動作させる設定プログラム１１０、自動操作アプリケーション１１１及び遠隔操作アプリケーション１１２等を記憶する。
【００２５】
（情報処理装置の動作）
次に、本実施の形態の作用を、（１）基本動作、（２）自動操作アプリケーションの動作、（３）遠隔操作アプリケーション切替動作に分けて説明する。
【００２６】
（１）基本動作
印刷制御装置２は、操作部や表示部を有しておらず、通常はネットワークを介して外部端末から遠隔操作されるが、トラブル等により遠隔操作では対応できない場合に、管理者は、キーボード、マウス、モニタ等を持参して印刷制御装置２に有線で接続する代わりに、携帯性のよいタブレット端末１を持参して印刷制御装置２に無線で接続する。なお、無線接続はＫＶＭ装置４又はルータ５を介して行われる。
【００２７】
接続方法決定手段１００は、印刷制御装置２の状態に基づいて通信部１４がＫＶＭ装置４を介して印刷制御装置２に接続するか、ルータ５を介して印刷制御装置２に接続するかを決定する。
【００２８】
図４は、接続方法決定手段１００の動作を説明するための表である。
【００２９】
図４に示すように、印刷制御装置２の起動フェーズが、印刷制御装置２の電源を投入する場合、ＢＩＯＳを起動して設定をする場合、ＯＳを起動する場合及びネットワークに接続する場合等、ルータ５を用いることができない場合は、ＫＶＭ装置４を介して印刷制御装置２にタブレット端末１を接続する必要がある。また、遠隔操作アプリケーションを起動する場合は、印刷制御装置２のＯＳが起動しており、ネットワークにも接続されているため、ＫＶＭ装置４を介して印刷制御装置２にタブレット端末１を接続してもよいし、ルータ５を介して印刷制御装置２にタブレット端末１を接続してもよい。
【００３０】
上記したように印刷制御装置２の起動フェーズが、ＫＶＭ装置４を介して印刷制御装置２にタブレット端末１を接続する必要がある場合、以下に説明する「（２）自動操作アプリケーションの動作」に説明するように動作する。
【００３１】
（２）自動操作アプリケーションの動作
図５は、自動操作アプリケーションの動作例を示すフローチャートである。
【００３２】
まず、管理者は、印刷制御装置２を操作するために、タブレット端末１を操作する。ここでは、一例として、通常ＯＳが起動していた印刷制御装置２をＢＩＯＳで起動するように、ブートメディア優先順序変更指示を行うとともに、ＢＩＯＳで起動した後に設定を変更する指示を行う。
【００３３】
タブレット端末１の操作受付手段１０１は、操作部１３から管理者の操作に応じてブートメディア優先順序変更指示の操作信号を受け付ける（Ｓ１００）。
【００３４】
次に、自動操作手段１０２は、自動操作アプリケーション１１１を起動し、ＫＶＭ装置４を介して、再起動操作信号を印刷制御装置２に送信する（Ｓ１０１）。
【００３５】
印刷制御装置２は、再起動操作信号を受信すると、再起動を行う（Ｓ２００）。
【００３６】
次に、印刷制御装置２は、再起動後にＢＩＯＳ設定画面に切り替え可能な状態となる（Ｓ２０１）。当該状態において印刷制御装置２は対応する表示信号を出力する。
【００３７】
次に、タブレット端末１の自動操作手段１０２は、ＫＶＭ装置４を介して上記表示信号を受信し、ＢＩＯＳ設定画面に切り替え可能な状態を検知する（Ｓ１０２）。
【００３８】
次に、自動操作手段１０２は、ＢＩＯＳ設定画面に切り替える操作信号を印刷制御装置２に送信する（Ｓ１０３）。
【００３９】
印刷制御装置２は、ＢＩＯＳ設定画面に切り替える操作信号を受信すると、ＢＩＯＳ設定画面に遷移する（Ｓ２０２）。印刷制御装置２は対応する表示信号を出力する。
【００４０】
次に、タブレット端末１の自動操作手段１０２は、ＫＶＭ装置４を介して上記表示信号を受信し、ＢＩＯＳ設定画面を検知する（Ｓ１０４）。
【００４１】
次に、自動操作手段１０２は、操作受付手段１０１が受け付けた設定変更内容に応じてＢＩＯＳ設定変更操作信号を印刷制御装置２に送信する（Ｓ１０５）。
【００４２】
印刷制御装置２は、ＢＩＯＳ設定変更操作信号を受信すると、ＢＩＯＳ設定変更を行う（Ｓ２０３）。印刷制御装置２は対応する表示信号を出力する。
【００４３】
次に、タブレット端末１の自動操作手段１０２は、ＫＶＭ装置４を介して上記表示信号を受信し、ＢＩＯＳ設定変更を検知する（Ｓ１０６）。
【００４４】
次に、自動操作手段１０２は、ＢＩＯＳの設定内容を表示部１２に表示し（Ｓ１０７）、管理者に確認させる。
【００４５】
管理者は、表示部１２の表示内容を確認し、問題なければＢＩＯＳ設定画面を終了するよう指示する。
【００４６】
タブレット端末１の操作受付手段１０１は、操作部１３からの管理者の操作に応じてＢＩＯＳ設定画面終了指示の操作信号を受け付け、ＫＶＭ装置４を介して、ＢＩＯＳ設定画面終了操作信号を印刷制御装置２に送信する（Ｓ１０８）。
【００４７】
印刷制御装置２は、ＢＩＯＳ設定画面終了操作信号を受信すると、ＢＩＯＳ設定画面を終了し（Ｓ２０４）、再起動する。
【００４８】
（３）遠隔操作アプリケーション切替動作
図６は、遠隔操作アプリケーションへの切替動作例を示すフローチャートである。
【００４９】
まず、管理者は、印刷制御装置２を操作するために、遠隔操作アプリケーションを起動するようタブレット端末１を操作する。
【００５０】
タブレット端末１の操作受付手段１０１は、操作部１３から遠隔操作アプリケーション起動指示を受け付ける（Ｓ１１０）。
【００５１】
次に、接続方法決定手段１００は、まず、ＫＶＭ装置４を介して印刷制御装置２に接続する（Ｓ１１１）。
【００５２】
次に、印刷制御装置２は、管理者の操作によって電源投入されると（Ｓ２１０）、起動する（Ｓ２１１）。
【００５３】
次に、印刷制御装置２は、起動後にＢＩＯＳ設定画面に切り替え可能な状態となり（Ｓ２１２）、特定の操作を受け付けなければそのままＯＳを起動する（Ｓ２１３）。
【００５４】
次に、印刷制御装置２は、ネットワーク接続を行い（Ｓ２１４）、ルータ５に接続するとともに自装置において遠隔操作アプリケーションを起動する（Ｓ２１５）。
【００５５】
図３は、遠隔操作アプリケーションによって印刷制御装置２から出力される表示信号に基づいてタブレット端末１の表示部１２に表示される画面の例を示す概略図である。
【００５６】
表示画像２０は、デスクトップ表示２００上に遠隔操作アプリケーションによって表示されるアプリケーション表示２０１を有する。アプリケーション表示２０１は、アドレス用コード画像２０１ａを表示する（Ｓ２１６）。当該アドレス用コード画像２０１ａは、印刷制御装置２のＩＰアドレスの情報を含むものである。当該状態において印刷制御装置２は対応する表示信号を出力する。
【００５７】
次に、タブレット端末１のアドレス検知手段１０３は、ＫＶＭ装置４を介して上記表示信号を受信し、コード画像を検知し（Ｓ１１２）、印刷制御装置２のＩＰアドレスを取得する。
【００５８】
次に、タブレット端末１の遠隔操作手段１０４は、取得したＩＰアドレスに対しルータ５を介してＰｉｎｇによる通信確認を行い（Ｓ１１３）、通信が確認されれば遠隔操作アプリケーション１１２を起動して（Ｓ１１４）、遠隔操作アプリケーション１１２によってルータ５を介して印刷制御装置２と接続し（Ｓ１１５）、操作受付手段１０１が受け付けた操作信号に基づいて印刷制御装置２を操作する。
【００５９】
（実施の形態の効果）
上記した実施の形態によれば、印刷制御装置２がルータ５を用いることができない状態である場合、ＫＶＭ装置４を介して印刷制御装置２にタブレット端末１を接続し、印刷制御装置２がルータ５を用いることができる状態である場合、表示信号から検知したアドレスを用いてルータ５を介して印刷制御装置２にタブレット端末１を接続するようにしたため、対象装置である印刷制御装置２の状態に応じた方法で印刷制御装置２を操作することができる。
【００６０】
また、ＫＶＭ装置４を介して印刷制御装置２にタブレット端末１を接続する場合、表示信号に基づいて自動で操作するようにしたため、ＫＶＭ装置４に映像が表示されるまでの時間的遅延及びＫＶＭ装置４の操作信号が印刷制御装置２に到達するまでの時間的遅延を解消することができる。
【００６１】
［他の実施の形態］
なお、本発明は、上記実施の形態に限定されず、本発明の趣旨を逸脱しない範囲で種々な変形が可能である。
【００６２】
上記実施の形態では制御部１０の各手段１００〜１０４の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００６３】
１     タブレット端末
２     印刷制御装置
３     画像出力装置
４     ＫＶＭ装置
５     ルータ
１０   制御部
１１   記憶部
１２   表示部
１３   操作部
１４   通信部
２０   表示画像
１００ 接続方法決定手段
１０１ 操作受付手段
１０２ 自動操作手段
１０３ アドレス検知手段
１０４ 遠隔操作手段
１１０ 設定プログラム
１１１ 自動操作アプリケーション
１１２ 遠隔操作アプリケーション
２００ デスクトップ表示
２０１ アプリケーション表示
２０１ａ      アドレス用コード画像
【図１】
2017041061.tif 000003
【図２】
2017041061.tif 000004
【図３】
2017041061.tif 000005
【図４】
2017041061.tif 000006
【図５】
2017041061.tif 000007
【図６】
2017041061.tif 000008